(57)【要約】【課題】大容量の同じコンテンツを複数のサイトへ同時に配信するための既存のバックホールの使用またはアップグレードを不要にすること。【解決手段】この配信方法は、衛星の衛星帯域幅を使用して、モバイルオペレータネットワークのタワーサイトまたはキャッシング位置へコンテンツを送信すること、１以上のタワーサイトの位置に基づいてワイドビームおよびスポットビームの組み合わせを使用してタワーサイトまたはキャッシング位置へコンテンツを送信すること、クラウドベースのアーキテクチャにおける送信経路のダウンリンク側における計算リソースで可能な範囲内で、コンテンツに関する配信ルールを受信すること、集約され、受信された配信ルールおよびポリシに基づいて、モバイルデバイスへの更なる配信とともにタワーサイトまたはキャッシング位置へコンテンツを送信することを含む。【選択図】図３
2017518660.tif 000002
【特許請求の範囲】
【請求項１】
衛星を介してコンテンツサーバからモバイルオペレータネットワークの１以上の末端位置へコンテンツを配信する配信方法であって、
前記衛星の衛星帯域幅を使用して、前記モバイルオペレータネットワークの前記１以上の末端位置へコンテンツを送信することを特徴とする配信方法。
【請求項２】
さらに、従来の衛星または高スループットの衛星と、前記１以上の末端位置の場所に基づいて、ワイドビームおよびスポットビームと、の組み合わせを使用して前記コンテンツを前記１以上の末端位置へ送信することを特徴とする請求項１に記載の配信方法。
【請求項３】
さらに、前記コンテンツに関する配信ルールを受信し、
前記コンテンツの送信は、受信された前記配信ルールに基づく、前記１以上の末端位置への前記コンテンツの送信を含む、
ことを特徴とする請求項２に記載の配信方法。
【請求項４】
前記１以上の末端位置は、前記モバイルオペレータネットワークから認証データを受信することを特徴とする請求項２に記載の配信方法。
【請求項５】
前記１以上の末端位置は、前記認証データに基づいて１以上のデバイスへ前記コンテンツを配信することを特徴とする請求項４に記載の配信方法。
【請求項６】
前記コンテンツは前記１以上の末端位置にキャッシュされることを特徴とする請求項１に記載の配信方法。
【請求項７】
衛星を介してコンテンツサーバからモバイルオペレータネットワークの１以上の末端位置へコンテンツを配信する配信装置であって、
１以上のプロセッサと、
前記１以上のプロセッサにより実行されると、前記衛星の衛星帯域幅を使用して、前記モバイルオペレータネットワークの前記１以上の末端位置へコンテンツを送信する処理を前記１以上のプロセッサに実行させる実行可能命令を格納するメモリと、
を備えることを特徴とする配信装置。
【請求項８】
前記メモリは、さらに、前記１以上のプロセッサにより実行されると、前記１以上のタワーサイトの場所に基づいて、ワイドビームおよびスポットビームの組み合わせを使用して前記コンテンツを前記１以上の末端位置へ送信する処理を前記１以上のプロセッサに実行させる実行可能命令を格納することを特徴とする請求項７に記載の配信装置。
【請求項９】
前記メモリは、さらに、前記１以上のプロセッサにより実行されると、前記コンテンツに関する配信ルールを受信する処理を前記１以上のプロセッサに実行させる実行可能命令を格納し、
前記コンテンツの送信は、受信された前記配信ルールに基づく、前記１以上の末端位置への前記コンテンツの送信を含む、
ことを特徴とする請求項８に記載の配信装置。
【請求項１０】
前記１以上の末端位置は、前記モバイルオペレータネットワークから認証データを受信することを特徴とする請求項８に記載の配信装置。
【請求項１１】
前記１以上の末端位置は、前記認証データに基づいて１以上のデバイスへコンテンツを配信することを特徴とする請求項１０に記載の配信装置。
【請求項１２】
前記コンテンツは前記１以上の末端位置にキャッシュされることを特徴とする請求項７に記載の配信装置。
【発明の詳細な説明】
【技術分野】
【０００１】
本発明は、ブロードキャストが可能なモバイルネットワークへの衛星を介したマルチチャネルコンテンツ配信に関する。
【０００２】
本発明にかかるシステムおよび方法は、概してマルチチャネルのコンテンツ配信に関連する。マルチチャネルのコンテンツ配信は、モバイルネットワークおよびその他のラストマイルネットワークへの衛星を介したコンテンツ配信である。モバイルネットワークおよびその他のラストマイルネットワークは、消費者等のコンテンツの受信者へのコンテンツ配信を行うネットワークである。
【背景技術】
【０００３】
従来技術では、個々のデバイス（たとえばスマートフォン、ラップトップ、タブレット、その他の接続デバイス）へのコンテンツ配信方法は、線形または非線形のコンテンツ（たとえばビデオ）に関わらず、一対一の接続を必要とする。たとえば、図１に示すように、従来技術のコンテンツ配信方法は以下の経路をたどる。
【０００４】
（ｉ）コンテンツはブロードキャスタの起点サーバ１から発する。起点サーバ１がコンテンツプロバイダのサイトに配置されている場合は、コンテンツはプロセッシングユニット２へ配信される。プロセッシングユニット２は、ＳａａＳ（Ｓｏｆｔｗａｒｅ  ａｓ  ａ  Ｓｅｒｖｉｃｅ）、Ｄｉｇ  Ａｓｓｅｔ  Ｍｇｔ（Ｄｉｇｉｔａｌ  Ａｓｓｅｔ  Ｍａｎａｇｅｍｅｎｔ）、最適化、フィルタリング等の処理のためのプロセッシングユニットである。この処理の後に、処理されたコンテンツはブロードキャスタ３によってブロードキャストされる。起点サーバ１、プロセッシングユニット２およびブロードキャスタ３は、すべて同じ場所に収容され、または独立して別々の場所に配置される。
【０００５】
（ｉｉ）コンテンツは、ＣＤＮ（Ｃｏｎｔｅｎｔ  Ｄｅｌｉｖｅｒｙ  Ｎｅｔｗｏｒｋ）等のネットワークを介して配信される。このネットワークには、これらに限られないが、ファイバまたは銅が用いられる。また、このネットワークはＭＭＥ（Ｍｏｂｉｌｅ  Ｍａｎａｇｅｍｅｎｔ  Ｅｎｔｉｔｙ）４−１またはＭＭＥ４−２などのモバイルネットワークコアへのネットワークである。コンテンツの地域化には複数のＭＭＥ４が必要になる。特に、地域化されたコンテンツの場合は、少なくとも起点サーバ１からターゲットコア集約ポイント（ＭＭＥ４）までは個別の接続となる。これは、地域化の対象として指定された各コンテンツの目標位置への１対１の接続を意味する。
【０００６】
（ｉｉｉ）ＭＭＥコア４において、各コンテンツはＭＭＥコア４から無線基地局（セルタワーサイト）５へ直接的な接続を介して配信される。直接的な接続は、たとえば直接的な地上またはマイクロ波の接続である。
【０００７】
（ｉｖ）タワーサイト５では、１対１の接続は、ユニキャストモデルによりデバイス６〜６ｎのそれぞれと行われる。また、コンテンツはデバイス６〜６ｎのそれぞれへ配信される。配信されたコンテンツに対応するデータ量は、デバイス６〜６ｎのそれぞれのユーザのデータプランに対してカウントされる。
【０００８】
４Ｇネットワークにおいて、ｅＭＢＭＳ（ｅｖｏｌｖｅｄ  Ｍｕｌｔｉｍｅｄｉａ  Ｂｒｏａｄｃａｓｔ  Ｍｕｌｔｉｃａｓｔ  Ｓｅｒｖｉｃｅ）はコンテンツ（すなわちタワーサイト５からデバイス６への）のラストマイル配信に使用されてもよい。しかしながら、４ＧデバイスのｅＭＢＭＳモジュールは、モバイルネットワークのオペレータによってアクティブ化されなければならない。デバイスにはその機能が搭載されているが、デバイスはその機能が無効にされて出荷される。ｅＭＢＭＳが起動すると、ネットワークはたとえばそれぞれのデバイスから要求されたビデオを配信する。セルにおける複数のデバイスが同じビデオを要求した場合に、ネットワークは、これらの複数のデバイスへのコンテンツの送信はブロードキャスト（ユニキャストに代えて）を用いた方が効率的であると判定し、配信のためにｅＭＢＭＳへ動的に切り替える。
【０００９】
図２は、ｅＭＢＭＳの規格が利用される場合における線形または非線形のコンテンツの個別のデバイスへの配信の４Ｇの例を示す。図２に示すように、ｅＭＢＭＳコンテキストのワークフロー経路は次のようになる。
【００１０】
（ｉ）コンテンツはブロードキャスタの起点サーバ１から発する。
【００１１】
（ｉｉ）コンテンツはネットワークを介してＭＭＥ４−１またはＭＭＥ４−２へ配信される。上述のように、複数のＭＭＥ４はコンテンツの地域化のために必要である。
【００１２】
（ｉｉｉ）ＭＭＥコア４において、コンテンツのそれぞれは、ＭＭＥコア４からそれぞれの無線基地局（セルタワーサイト）へ直接的な接続を介して配信される。
【００１３】
（ｉｖ）タワーサイト５においてコンテンツはｅＭＢＭＳの規格に適合し、タワーサイト５は、モバイルスペクトラムの小さい帯域を使用して、コンテンツの受信が認証されたｅＭＢＭＳ起動のデバイス６〜６ｎが利用可能なブロードキャスト信号を発する。視聴者は、放送を途中から見るように、コンテンツを途中から見る。この場合は、配信されるコンテンツに対応するデータ量は、ビジネスモデルまたは契約上の合意に基づいて、デバイス６〜６ｎのそれぞれのユーザのデータプランに対してカウントされない場合がある。
【発明の概要】
【発明が解決しようとする課題】
【００１４】
図１および図２に関して説明した前述のコンテンツ配信方法のそれぞれにおいて、地域化されたコンテンツの場合は、少なくとも起点サーバ１からターゲットコア集約ポイント（ＭＭＥ４）までは個別の接続となる。したがって、地域化の対象として指定された各コンテンツの目標位置への１対１の接続が必要になる。図１に関して論じたユニキャスト配信方法（ｅＭＢＭＳを使用しない）の場合は、各デバイス６までずっと１対１の接続になる。
【００１５】
起点サーバ１からデバイス６へ配信されるビデオなどのコンテンツのほとんどは高負荷である。デバイス６〜６ｎへの地域ターゲティング（図１および図２の両方）またはユニキャスト配信（図１）のためにポイントツーポイント接続が必要な場合は、さらなる配信負荷が追加される。コンテンツ送信（たとえばビデオ）は、起点サーバ（１）からＭＭＥ（４）への配信経路、さらにＭＭＥ（４）から各タワーサイト（５）への配信経路の一部を含むネットワークのバックボーン（たとえば地上のバックボーン）の負担になるため、また個々のタワー（５）への経路がユニキャストであるため、コンテンツのほとんどは高負荷である。モバイルネットワーク用語との一貫性を維持するために“タワーサイト”が参照されているが、宛先は、衛星信号を受信して集約し、ラストマイルにおいて有線または無線の受信デバイスへコンテンツを転送することが可能な末端位置（エッジロケーション）を含むことができる。この末端位置は、たとえばアンテナマスト、ＷｉＦｉ（登録商標）ホットスポット位置である。例としては、車、航空機、船舶、家屋などがあるが、これらに限定されない。“タワー”または“タワーサイト”という記述の以下の使用は、上述の末端位置を含むと理解されるべきである。
【００１６】
ここで論じられる２つの既存の配信経路の間の違いは、末端（タワー）への衛星配信の重要な差異および利点を表す。既存の配信方法（地上、マイクロ波、その他など）は、ビデオコンテンツなどのコンテンツを末端に配信するために、ポイントツーポイント接続を使用し、しばしば様々な企業により管理される無数のサーバやインタフェースを使用する。これらの接続およびインタフェースのそれぞれは、配信タイムラインおよびエクスペリエンスの質に、遅延および品質の低下を加えるものである。
【００１７】
たとえば、２０１４年のワールドカップのサッカートーナメントの間に、多くの重大な遅延があった。同じ年に、ストリーミングの視聴者が１４〜４５秒の遅延を経験したＮＦＬスーパーボールのストリーミングカバレッジにも同じことがあった。そのような配信と、コンテンツの所有者の起点サーバから衛星のアップリンクを介して末端（タワー）のダウンリンクアンテナへの単一の経路を表す衛星配信による配信と、を比較する。追加のインタフェース、接続または企業の機器は含まれない。したがって、品質は単一の配信経路を通じて維持され、測定される遅延はミリ秒単位になる。
【００１８】
ネットワークの負荷は、同時視聴率が高いストリーミングビデオの問題としてよく報告されている。同時視聴者の“トラフィックオーバーロード”または“ヒュージピークオーディエンス”として報告されたものにより、地上ネットワークの障害のいくつかの例がある。最近では、ストリーミングの障害がワールドカップにおけるブラジルとクロアチアの試合を中断させた。
【００１９】
ストリートジャーナルは、トラフィックオーバーロードが、視聴率が高いイベントの線形の地上ストリーミングの限界にスポットライトを当てたと報道した。
【００２０】
また、ＨＢＯＧｏの代表は、Ｔｒｕｅ  Ｄｅｔｅｃｔｉｖｅのショーのフィナーレの間のＨＢＯＧｏのクラッシュは“殺到”に起因したと説明した。
【００２１】
これらの地上の例における機能停止を引き起こしたのと同様の限界は、モバイルネットワークのミドルマイル部分（起点サーバからタワーまで）に影響する。
【００２２】
さらに、モバイルネットワークのオペレータは、ユーザのデバイスまでのスペクトラムが限られているため、ラストマイルにおける特定のビデオ配信のためのＷｉＦｉオフロードオプションを求めている。
【００２３】
そのため、本出願の目的の１つは、コンテンツ（線形または非線形）配信のための方法およびシステムを、モバイルオペレータのネットワークの無線基地局（タワー）サイトに直接的に導入することであり、大容量の同じコンテンツを複数のサイトへ同時に配信するための既存のバックホールの使用またはアップグレードを不要にすることである。同様に、開示の方法およびシステムは、デバイスへのラストマイルにおけるｅＭＢＭＳ配信を利用（に適合）する。
【課題を解決するための手段】
【００２４】
したがって、非限定的な１つの実施の形態は、コンテンツサーバから静止衛星または非静止衛星を介してモバイルオペレータネットワークの１以上のタワーサイトへコンテンツを配信する配信方法を提供する。この配信方法は、前記衛星の衛星帯域幅を使用して、モバイルオペレータネットワークの１以上のタワーサイトへコンテンツを送信する。
【００２５】
この配信方法は、さらに、従来の衛星または高スループットの衛星と、前記１以上のタワーサイトの場所に基づいて、ワイドビームおよびスポットビームと、の組み合わせを使用して前記コンテンツを１以上のタワーサイトへ送信してもよい。
【００２６】
この配信方法は、さらに、前記コンテンツに関する配信ルールを受信し、前記コンテンツの送信は、受信された前記配信ルールに基づく前記１以上のタワーサイトへの前記コンテンツの送信を含んでもよい。
【００２７】
前記１以上のタワーサイトは、モバイルオペレータネットワークから認証データを受信してもよい。
【００２８】
前記１以上のタワーサイトは、前記認証データに基づいて１以上のデバイスへ前記コンテンツを配信してもよい。
【００２９】
別の非限定的な実施の形態は、従来の設計または高スループットの設計を使用した静止衛星または非静止衛星を介して、またワイドビームおよびスポットビームを使用して、コンテンツサーバからモバイルオペレータネットワークの１以上のタワーサイトへコンテンツを配信する配信装置を提供する。この配信装置は、１以上のプロセッサと、前記１以上のプロセッサにより実行されると、前記衛星の衛星帯域幅を使用して、前記モバイルオペレータネットワークの前記１以上のタワーサイトへコンテンツを送信する処理を前記１以上のプロセッサに実行させる実行可能命令を格納するメモリと、を備える。
【００３０】
前記メモリは、さらに、前記１以上のプロセッサにより実行されると、前記１以上のタワーサイトの場所に基づいて、ワイドビームおよびスポットビームの組み合わせを使用して前記コンテンツを前記１以上のタワーサイトへ送信する処理を前記１以上のプロセッサに実行させる実行可能命令を格納してもよい。
【００３１】
インタフェースは、無線アクセスネットワークゲートウェイにおいて、伝送衛星モデム／ＲＦハブへ向けて提供される。モデム周波数は、要求された転送帯域幅と、ブロードキャストのサービスエリアのそれぞれに必要とされるフィードの数と、によって決定される。リモートサイトにおいて、ＶＳＡＴモデムは、伝送を受信し、ＩＰマルチキャスト技術を使用して無線アクセス基地局へ前記ブロードキャストを転送するように設定される。前記無線アクセス基地局は、ブロードキャストストリームを要求するように事前に設定されており、要求されたセルブロードキャストエリアへ前記ブロードキャストを転送する。
【００３２】
前記メモリは、さらに、前記１以上のプロセッサにより実行されると、前記コンテンツに関する配信ルールを受信する処理を前記１以上のプロセッサに実行させる実行可能命令を格納してもよく、前記コンテンツの送信は、受信された前記配信ルールに基づく前記１以上のタワーサイトへの前記コンテンツの送信を含む。
【００３３】
前記１以上のタワーサイトは、モバイルオペレータネットワークから認証データを受信してもよい。
【００３４】
前記１以上のタワーサイトは、前記認証データに基づいて１以上のデバイスへコンテンツを配信してもよい。
【００３５】
いずれかの実施の形態では、衛星伝送の送信段階（アップリンク）および受信段階側（ダウンリンク）の両方における装置および計算機能を含むインテリジェントネットワークが提供されてもよい。この装置および計算機能は、１以上のタワーサイト、キャッシング機能、プライベートネットワーククラウドまたはパーソナルクラウドへのコンテンツの配信のための命令の処理および実行が可能であり、ハードウェア、ファームウェア、ソフトウェアまたはこれらの任意の組み合わせとして実現される。
【００３６】
インテリジェントネットワーキングおよび計算機能に加えて、ネットワークおよび宛先位置の全体の衛星のグローバルな視点により、流行の変化へのコンテンツの要求に基づくより迅速な把握および対応が可能になる。さらに、一度把握されると、衛星のマルチキャスト機能により、任意のキャッシュまたはストレージデバイスを一度にアップデートすることができる。マルチキャストチャネルは、衛星リンクを介して各ダウンリンクルータへ同時に送信されるように設定される。これは、１対１接続であるためにキャッシュネットワーク関係が個別にまたは独立に処理されることになるユニキャストベースのネットワークとは対照的である。
【図面の簡単な説明】
【００３７】
上記およびその他における本発明の特徴および利点は、添付の図面を参照して、詳細な例示的な実施の形態の記載によってより明らかになる。
【００３８】
図１は、従来技術にかかるユニキャスト技術を使用するコンテンツ配信システムを示す。
【００３９】
図２は、従来技術にかかるｅＭＢＭＳの規格を使用するコンテンツ配信システムを示す。
【００４０】
図３は、例示的な実施の形態にかかるコンテンツ配信システムを示す。
【００４１】
図４は、別の例示的な実施の形態にかかるコンテンツ配信システムを示す。
【００４２】
図５は、例示的な実施の形態にかかるタワーサイトのアーキテクチャを示す。
【００４３】
図６は、コンテンツ配信システムを使用することにより実現される別の例示的な実施の形態にかかるワークフロー処理を示す。
【発明を実施するための形態】
【００４４】
以下は、実施の形態において使用される説明および／または名前や記述子の定義である。これらは、読者が、本発明にかかる実施の形態およびその構成要件、設計、使用および目的の説明を理解することを補助するためのものである。しかしながら、これらの用語は、当業者に理解される明白かつ通常の意味を有するべきである。
【００４５】
起点サーバ
【００４６】
ビデオファイルなどのコンテンツをホストし、コンテンツの配信のワークフローの出発点となる技術的なハードウェア。
【００４７】
地上ネットワーク
【００４８】
無線接続を使用せずに様々な接続で構成されたネットワーク。
【００４９】
モバイルネットワークコア
【００５０】
無線アクセスネットワーク（タワーからデバイスへの最終的な無線カバレッジ）の前段にあるモバイルネットワークの部分。モバイルネットワークは、モバイルネットワークの末端（たとえばタワー）に配信するために使用される共通の地上またはマイクロ波のネットワークである。
【００５１】
タワーサイト
【００５２】
モバイルネットワークにおけるセルタワーの位置。
【００５３】
デバイス（ユーザデバイス）
【００５４】
モバイルネットワークに接続するために使用されるセルラ接続機能を備える装置（たとえば、スマートフォン、タブレット、ラップトップ、デスクトップコンピュータなど）。
【００５５】
ラストマイル
【００５６】
消費者と、電話会社、ケーブル会社、ＩＳＰまたはモバイル会社と、の間の接続（たとえば、セルタワーからユーザデバイス）。
【００５７】
地域化
【００５８】
配信ルールとポリシに基づいて、あるコンテンツを特定の地域にターゲティングする機能。
【００５９】
配信ルール（およびポリシ）
【００６０】
あるコンテンツがどこで配信されてよく、どこで制限されなければならないかのビジネス上の判断（たとえば、スポーツの報道がある市場に配信され他には配信されないようにすることができる。または、文化的な制約のため、あるコンテンツはある国へ配信されてはいけない。）。
【００６１】
認証データ
【００６２】
契約上の取り決めまたはビジネス上の決定に基づいて、ユーザのデバイスがあるコンテンツやサービスの受信について許可されたことを判断するために使用されるデータ。
【００６３】
静止衛星および非静止衛星
【００６４】
静止衛星（対地同期とも呼ばれる）は、地球上の特定の地域に継続的なサービスを提供するために、一定の高度と、軌道上の特定の位置に衛星を“固定”したままにするスピードと、で地球を周回する衛星である。これらのサービスは“ＦＳＳ”（ｆｉｘｅｄ  ｓａｔｅｌｌｉｔｅ  ｓｅｒｖｉｃｅｓ）と呼ばれる場合がある。非静止衛星は、一定の高度と、静止させたままにするスピードと、には固定されず、カバレッジパターンが変化してもよい衛星である。たとえば、“ＭＥＯ”（ｍｉｄ−ｅａｒｔｈ  ｏｒｂｉｔ）、“ＬＥＯ”（ｌｏｗ  ｅａｒｔｈ  ｏｒｂｉｔ）または“Ｉｎｃｌｉｎｅｄ  Ｏｒｂｉｔ  ｓａｔｅｌｌｉｔｅｓ”（重力および磁極の影響に抵抗するための推力のために搭載燃料を使用せず、静止したままである。）を含むが、これらに限定されない。
【００６５】
ワイドビーム
【００６６】
ワイドビーム（ヘミビームとも呼ばれる）は、一般的に、北アメリカのような地域の大部分をカバーする。
【００６７】
スポットビーム
【００６８】
スポットビームは、より小さい地域または領域に集中し、個々の国や地域への配信を制限することができる。
【００６９】
テレポート
【００７０】
データおよびコンテンツ（たとえばビデオコンテンツ）の処理装置を収容可能であり、データ、コンテンツまたは通信の衛星伝送のためのアップリンクおよびダウンリンクのサービスを提供する施設である。
【００７１】
線形コンテンツ
【００７２】
線形コンテンツは、ビデオの一時停止や再視聴などのユーザ制御のオプションなしで進行する。線形は、特定の時間の開始から完全に中断されない形式で配信される予定のライブコンテンツ（たとえば現在行われているスポーツイベント）または収録済みのコンテンツ（たとえばテレビ番組のシーズンの初回放映）である場合がある。
【００７３】
非線形コンテンツ
【００７４】
消費者によって制御（一時停止、再開、再視聴など）することができるコンテンツ。非線形コンテンツの例は、オンデマンドのビデオ動画またはユーチューブの動画である。
【００７５】
プライベートクラウド
【００７６】
マルチキャスト衛星配信能力と、受信段階（ダウンリンク）側および消費者により近いデバイスにおける計算リソースと、の特徴的な組み合わせにより、エッジキャッシュまたはモバイルネットワークタワーへのデータまたはコンテンツの配信に関して送信された配信ルールおよびポリシの集約が可能になる。プライベートクラウドは、また、人気傾向の定義やパージ／リキャッシュサイクルの優先度付けにおける補助に役立つ場合がある、ユーザメトリクス（たとえば視聴率測定）または決定的なデータ（たとえばすべてのエッジキャッシュをまたがって特定のコンテンツがどれくらいの頻度で要求されるか）の集合および組み合わせのアプリケーションソフトウェアを提供する。
【００７７】
パブリッククラウドサービス
【００７８】
消費者または企業と契約してデータファイルおよびコンテンツを格納、保管および／または処理するデータセンタにおける商用計算リソース。例としては、ＡｍａｚｏｎウェブサービスやＵｌｔｒａｖｉｏｌｅｔのデジタルロッカーがある。プライベートクラウドは、プライベートネットワークのセキュリティおよび信頼性を維持しながら、パブリッククラウドのサービスへのアクセスを可能にする。
【００７９】
以下、添付の図面を参照して、当業者に容易に実現されるように実施の形態を詳細に説明する。例示的な実施の形態は、ここに記載された例示的な実施の形態に限定されずに様々な形態で具体化されてもよい。周知の部分の説明は、明確化のために省略されており、同様の参照番号は同様の要素を参照する。
【００８０】
無線基地局（セルタワー）へのコンテンツの配信への衛星の使用は、各世代のセルラネットワークにおいて有効であるべきである。その次のデバイスへのラストマイルにおけるタワーからのコンテンツのマルチキャスト配信は、４Ｇ／ＬＴＥネットワークおよび次世代のモバイルネットワーク（ＬＴＥ  Ａｄｖａｎｃｅｄ、５Ｇ以降）において利用可能なブロードキャスト能力を要する。
【００８１】
この例に関して、４Ｇ／ＬＴＥにおいて使用される用語が参照されるが、開示される実施の形態はこのネットワークアーキテクチャに限定されない。
【００８２】
図３は、例示的な実施の形態にかかるコンテンツ配信システムを示す。図３に示すこの例示的で非限定的な実施の形態では、コンテンツ配信システムは以下の経路をたどる。
【００８３】
（ｉ）コンテンツは、ブロードキャスタ１５の起点サーバ１０またはＩａａＳ（Ｉｎｆｒａｓｔｒｕｃｔｕｒｅ  ａｓ  ａ  Ｓｅｒｖｉｃｅ）として動作するテレポート等の集約サイト２０から取得される。テレポート等の集約サイト２０では、ホストされた資産管理アプリケーションが、コンテンツと商業素材（ネットワークインサートとローカルインサートの両方）とのそれぞれに配信ルールおよびポリシを割り当てることができる。配信の前に、コンテンツは、宛先ターゲット、デジタル権利管理透かし、およびその他の品質管理および処理コードを含むメタデータとリンクされる。アップリンクの前により集中された環境におけるコンテンツの集約と、所定の配信ルールおよびポリシの割り当てと、これらのルールによるラストマイル配信のための各位置へのその次の衛星伝送と、はより効率的になり得る。さらに、それは、モバイルタワーへのビデオコンテンツの配信により、モバイルネットワークの負荷を低減する。
【００８４】
（ｉｉ）コンテンツは、たとえばブロードキャスタ１５の位置に存在するブロードキャスタの起点サーバ１０において発生してもよく、またはテレポートアップリンクにおいてホストされてもよい。このルール／ポリシ（上述）のためのメタデータおよびデジタルコンテンツ管理は、起点サーバ１０またはアップリンクの前段のいずれかに配置されてもよい。最終的に、コンテンツは、ワイドおよびスポットのビーム２５−１の組み合わせを使用して、衛星３０にアップリンクされ、マルチキャスト／ブロードキャスト配信される。これによって、ジオターゲティングメタデータに基づいて各タワーサイト５０への地域化が達成される。ユーザ／デバイスの認証データ７０は、集約サイト２０からリンク２５−２を介してＭＭＥ４０へ送信される。
【００８５】
（ｉｉｉ）受信端（ダウンリンク）において、タワーサイト（たとえば衛星アンテナを含む）５０のＩＲＤ（Ｉｎｔｅｇｒａｔｅｄ  Ｒｅｃｅｉｖｅｒ  Ｄｅｃｏｄｅｒ）は、特定のＰＩＤ（パケットＩＤ）を認識するように手動でコーディングされる。これらのＰＩＤは、同じストリームからの伝送用のデータのパケットを表す。ＩＲＤによる特定のＰＩＤの認識により、衛星アンテナ（ディッシュ）は、特定のチャネルのコンテンツを受信することができ、他のチャネルは受信できない。ＩＲＤによって受信され復号されたワイドおよびスポットのビーム３５に含まれるコンテンツストリームは、タワーサイト５０において、モバイルネットワークの無線アクセスネットワーク（ＲＡＮ）へ変換されて送信される。
【００８６】
潜在的なコンテンツプライバシの増加に対して、ブロードキャスタはこれを利用してビデオの違法な取得およびその後の転送を軽減する。地上またはマイクロ波の伝送メカニズムは、コンテンツファイルを起点サーバからタワーサイトへ移動するために、断続的な配信サーバが必要である。これらの断続的な各サーバは、潜在的な著作権侵害のアクセスポイントとなる。そこで、ミドルマイルでの著作権侵害の問題を軽減するために、上記で論じた経路のステップ（ｉｉｉ）において、タワーサイト５０への伝送は、たとえばプライベートで安全な衛星配信の通信経路（著作権侵害のアクセスポイントがない）を使用して実行されてもよい。
【００８７】
（ｉｖ）タワーサイト５０（または他の末端の集合および再送位置）において、コンテンツは、符号化／リパッケージされ、ｅＭＢＭＳの（または他の許容可能な）規格に適合し、モバイルネットワーク（たとえばＭＭＥ４０）からリンク２５−２を介して受信された認証データ７０とマージされる。特に、タワーサイト５０において、コンテンツは、衛星信号から復号され、ＲＡＮに変換され、符号化／リパッケージされ、セルラ信号のラストマイルにおいて消費者のデバイス６０〜６０ｎへ配信される。ＭＭＥコア４０からタワーサイト５０のそれぞれへ送信されるシグナリングは、消費者の携帯電話がタワーサイト５０においてモバイルネットワークへ接続することを可能にするユーザデバイスの認証データ７０である。そして、タワーサイト５０は、モバイルスペクトラムの小さな帯域を使用して、コンテンツの受信が認証されたｅＭＢＭＳ起動の任意のデバイス６０〜６０ｎ、または登録された任意のホームデバイス８０〜８０ｎが利用可能なブロードキャスト信号を発する。視聴者は、放送を途中から見るように、コンテンツを途中から見る。
【００８８】
ブロードキャスタの起点サーバ１０と各タワーサイト５０との間でコンテンツを転送するために衛星３０を使用することは、大容量の同じコンテンツを複数のサイトへ同時に（たとえばブロードキャスタの起点サーバからＭＭＥへ、そしてタワーサイトへ）配信するための既存のバックホールの使用およびアップグレードを不要にする。さらに、この解決手段は、デバイスへのラストマイルにおけるｅＭＢＭＳ配信を利用（に適合）する。
【００８９】
さらに、ブロードキャスタの起点サーバ１０からスポットビームを使用してプログラムされたＩＲＤへコンテンツを配信するために衛星３０を使用することにより、地域化されたコンテンツの同時配信が可能になる。衛星を用いない場合は、この地域化されたコンテンツの配信には、起点サーバの配信ポイントから地域の各ＭＭＥコアへの個別の１対１の接続を要する。衛星の使用は、複数のポイントツーポイントの地上の接続を不要にし、その代わりに、ワイドビームおよびスポットビームの１個の組み合わせにより個別のコンテンツを適切な宛先に配信する。
【００９０】
データ７０に基づくタワーサイト５０における統合により、高負荷のコンテンツを、モバイルネットワークからの配信ポリシおよびデバイス認証に統合することが可能になり、ｅＭＢＭＳがブロードキャストしたコンテンツをデバイス６０が受信できるようになる。さらに、配信は、ホーム８０〜８０ｎを含んでもよく、家の外のモバイル視聴に限定されない。
【００９１】
図４は、他の例示的な実施の形態にかかるコンテンツ配信システムを示す。図４に示すこの例示的で非限定的な実施の形態では、コンテンツ配信システムは以下の経路をたどる。
【００９２】
（ｉ）コンテンツはブロードキャスタの起点サーバ１０または集約サイト２０から取得される。配信の前に、コンテンツは、宛先ターゲット、デジタル権利管理透かし、およびその他の品質管理および処理コードを含むメタデータとリンクされる。
【００９３】
（ｉｉ）コンテンツは、たとえばブロードキャスタの位置に存在するブロードキャスタの起点サーバ１０において発生し、またはテレポートアップリンクにおいてホストされてもよい。このルール／ポリシ（上述）のためのメタデータおよびデジタルコンテンツ管理は、起点サーバ１０またはアップリンクの前段のいずれかに配置されてもよい。最終的に、コンテンツは、マルチキャスト／ブロードキャスト配信のために、ワイドおよびスポットのビーム２５−１’の組み合わせを使用する衛星３０にアップリンクされ、ジオターゲティングメタデータに基づいて各サイト５０’への地域化を達成する。ユーザ／デバイスの認証データ７０’は、集約サイト２０からリンク２５−２を介してプライベートクラウド４０’へ送信される。
【００９４】
（ｉｉｉ）受信端（ダウンリンク）において、サイト５０’が図３に示したようなタワーサイトである場合は、タワーサイト（たとえば衛星アンテナを含む）のＩＲＤ（Ｉｎｔｅｇｒａｔｅｄ  Ｒｅｃｅｉｖｅｒ  Ｄｅｃｏｄｅｒ）は、特定のＰＩＤ（パケットＩＤ）を認識するようにコーディング（たとえば手動でコーディング）される。ワイドビーム３５−１および／またはスポットビーム３５−２に含まれ、ＩＲＤにより受信されて復号されたコンテンツストリームは、タワーサイトにおけるモバイルネットワークのＲＡＮへ変換されて送信される。
【００９５】
一方、サイト５０’が図４に示すように車、家、飛行機またはクルーズ船などの別のタイプの末端集約ノードである場合は、この末端集約ノードは、ワイドビーム３５−１および／またはスポットビーム３５−２に含まれ受信されたコンテンツストリームを格納するためのメモリ（たとえば、ハードドライブ、フラッシュメモリなど）を含む。たとえば、コンテンツは、短期間または長期間の間、末端集約ノードにおいて格納され得る。もちろん、タワーサイトもメモリを含む。
【００９６】
図３を参照して上記で論じたように、ステップ（ｉｉｉ）において、サイト５０’への伝送は、プライベートで安全な衛星配信の通信経路（著作権侵害のアクセスポイントがない）を使用して実行されてもよく、ミドルマイルにおけるコンテンツの著作権侵害問題を軽減することができる。
【００９７】
（ｉｖ）サイト５０’は、プライベートクラウド４０’から認証データ７０’を受信する。サイト５０’が図３に示したようなタワーサイトである場合は、ビーム３５−１および／または３５−２から受信されたコンテンツは、符号化／リパッケージされ、ｅＭＢＭＳの（または他の許容可能な）規格に適合し、プライベートクラウド４０’から受信された認証データ７０’とマージされ、セルラ信号のラストマイルにおいて消費者のデバイスへ配信される。
【００９８】
この実施の形態において、サイト５０’が図４に示すように車、家、飛行機またはクルーズ船などの末端集約ノードである場合は、認証データ７０’は、一時的または長期間、末端集約ノードに格納され得る。コンテンツは、末端集約ノードにおいて衛星信号（ビーム３５−１および／または３５−２）から復号され、プライベートクラウド４０’から受信された認証データ７０’とマージされ、末端集約ノードにおける条件付きアクセスを提供する。加えて、プライベートクラウド４０’へのサイト５０’の接続を介して、プライベートクラウド４０’は、パブリッククラウド４５により提供されるサービスへサイト５０’がアクセスすることを許可してもよい。
【００９９】
図５は、例示的な実施の形態にかかるタワーサイト５０のアーキテクチャを示す。タワーサイトは、統合型またはスタンドアロンのサイトルータ／モデムとともに、衛星アンテナ５０−１、ＶＳＡＴターミナル５０−２、ＩＲＤ５０−３、キャッシュ５０−４およびｅＮｏｄｅＢを含む。
【０１００】
衛星アンテナ５０−１は、衛星３０から送信されたコンテンツを含むビーム３５（信号）を受信する。ＶＳＡＴターミナル５０−２は、衛星アンテナ５０−１により受信された信号を処理することにより、その中に含まれるコンテンツを取得する。ＩＲＤ５０−３は、リンク２５−２を介して受信された認証データを受信する。ＶＳＡＴターミナル５０−２により取得されたコンテンツと、ＩＲＤ５０−３により受信された認証データと、はともにキャッシュ５０−４に格納される。ｅＮｏｄｅＢは、統合型またはスタンドアロンのサイトルータ／モデム５０−５とともに、キャッシュ５０−４に格納されたコンテンツおよび認証データを取得し、認証データに基づいて、モバイルデバイス６０〜６０ｎまたはホームデバイス８０〜８０ｎへのコンテンツを送信してもよい。コンテンツの伝送は、また、１以上のモバイルデバイス６０〜６０ｎおよび／または１以上のホームデバイス８０〜８０ｎから受信されたコンテンツの要求に基づいて行われる。
【０１０１】
モデム５０−５の周波数は、要求された転送帯域幅と、ブロードキャストのサービスエリアのそれぞれに必要とされるフィードの数と、によって決定されてもよい。
【０１０２】
図６は、さらに他の例示的な実施の形態にかかるコンテンツ配信システムを使用して実現されるワークフロープロセスを示す。
【０１０３】
この例示的で非限定的な実施の形態においては、エンドユーザデバイス（たとえば図３の６０または８０、または図４における車、飛行機、クルーズ船などに含まれる他のタイプ）は、ネットワーク（たとえば、図３におけるＭＭＥコア４０を含むモバイルネットワーク、または図４に示したＷｉＦｉ、海上、飛行機または車などの他のタイプのネットワーク）に接続する。プロプライエタリアプリケーションまたはブラウザを使用して、ユーザはコンテンツ（データ／ビデオ）の配信を要求することができる。ＭＭＥコア４０によって受信された認証データに基づくＭＭＥコア４０または末端集約ノードにおける制御トラフィック認証は、ネットワークのアクティブユーザ、および地域化されたコンテンツにアクセスするための地域化された認証、加入者認証またはその他の条件付きアクセス検証のような他のルールとしてユーザを有効にする。認証および検証が正常に完了すると、ユーザデバイスに関連付けられたデバイスＩＤは、ＭＭＥコア４０または末端集約ノードにより、ライブｅＭＢＭＳストリーム、ローカルキャッシュコンテンツまたはローカルにキャッシュされていないコンテンツへのウェブアクセスへのアクセスが許可されてもよい。
【０１０４】
図６に示す動作は、必ずしもそれらが実現される順序で示されない。各動作は、異なる順番で実現されることができ、１以上の動作は並列で実現されることができる。
【０１０５】
さらに詳細には、図６に示すように、動作１において、起点サーバ１０がコンテンツを符号化する。動作２において、テレポート２０が、衛星３０への衛星経路とモバイルコア（ＭＭＥコア４０）との間のゲートウェイインタフェースをホストする。テレポート２０は、ユーザデバイスからのコンテンツの要求に応じて、符号化されたコンテンツを起点サーバ１０から受信してもよい。あるいは、テレポートは、ユーザデバイスにおけるプログラムまたはサービスのスケジュールされたアップデートに応じて（すなわちエンドユーザデバイスからのコンテンツの実際の要求なしに）、符号化されたコンテンツを起点サーバ１０から受信してもよい。ここで、データ／コンテンツは高周波アップリンクハブへ配信されてもよく、制御トラフィックは地上でＭＭＥコアまたはプライベートクラウドへ配信されてもよい。
【０１０６】
動作Ｔ３において、モバイルオペレータのネットワークのタワーサイトの場合に（別のタイプの末端ノードと対照的に）、制御トラフィック、セッション制御および認証（条件付きアクセスなど）が、ＭＭＥコアおよびモバイルオペレータの地上ネットワークへのデータストリームとして送信される。
【０１０７】
動作Ｔ４において、ＭＭＥコアが、地上のバックボーンを介してモバイルオペレータのネットワークのタワーサイトへすべての制御トラフィックを配信する。前述のように、この制御トラフィックのデータ負荷は比較的小さい。
【０１０８】
動作Ｔ５において、制御トラフィックが、それぞれのタワーサイトにおける各ＲＡＮの位置へ地上で送信される。
【０１０９】
動作Ｓ３において、ゲートウェイが、配信指示およびフィードをアップリンクへ出力する。
【０１１０】
動作Ｓ４において、配信指示およびフィードを含むマルチキャストストリームが衛星へアップリンクされてもよい。
【０１１１】
動作Ｓ５において、ストリームが、配信指示に基づいて衛星において地域化されてもよい。
【０１１２】
動作Ｓ６において、地域化されたストリームが、潜在的なアーカイブストレージのために衛星からプライベートクラウドへ送信される。また、地域化されたストリームが、末端ノード（たとえば、タワーサイト５０およびタワーサイト５０以外の末端集約ノード）にも送信される。
【０１１３】
動作Ｓ７において、ストリームに含まれるコンテンツの一部または全部が、プライベートクラウドに受信されて格納されてもよい。プライベートクラウドは、安全であり、マルチテナントの消費者ストレージに対応可能である。
【０１１４】
動作Ｓ８において、追加のメタデータ配信指示が、衛星によりＶＳＡＴターミナルまたはタワーサイト／末端ノードに含まれる他のコンポーネントへ送信されてもよい。
【０１１５】
動作Ｓ９において、地域化されたマルチキャストストリームがタワーサイトにおいて受信されてもよい。
【０１１６】
動作Ｓ１０において、ＩＲＤまたはタワーサイトの他のコンポーネントが、特定のコンテンツ／メタデータ（たとえば動作Ｔ４において送信された制御トラフィック）を受信するように調整される。また、この受信されたコンテンツ／メタデータが、将来の要求のためにキャッシュされるか、またはｅＭＢＭＳを介したブロードキャストのためのＲＡＮへ直接配信される。
【０１１７】
動作１１において、ＲＡＮのサイトルータが、ダウンリンクされたコンテンツおよびメタデータ配信ルールと、エンドユーザデバイスのための制御トラフィックおよび条件付きアクセス認証と、を結合させる。
【０１１８】
動作１２において、モバイルネットワークに接続されたデバイス（ポータブルまたは家庭ベース）が、データ／ビデオの要求のためにＲＡＮにアクセスし、制御トラフィック認証および条件付きアクセスルールに基づいて、ライブストリームへのアクセス、または彼らのデバイスにキャッシュされたコンテンツの配信の要求が許可される。
【０１１９】
開示の方法およびシステムは、従来の設計または高スループットの設計と、ワイドビームおよびスポットビームの両方と、の技術を使用して、衛星配信の固有の利点をブロードキャストに利用する。
【０１２０】
開示の解決手段が解決する課題：
【０１２１】
１）競争が激しい環境において、４Ｇネットワークにおいてビデオをストリーミングするために現在ユニキャストを使用しているハングリーな消費者へデータを提供せざるを得ないが、モバイルネットワークの能力がますます厳しくなっているというモバイルネットワークオペレータの現在のジレンマ；
【０１２２】
２）プロトコルにおけるマルチキャスティングおよびブロードキャスティングの機能、およびモバイルネットワークからモバイル加入者デバイス（ｅＭＢＭＳ）へのシグナリング；
【０１２３】
３）効率的に信頼性の高い安定した高価値のコンテンツ（たとえば“線形コンテンツ”からレスリニアコンテンツブロードキャスティング：‘キャッチアップビューイング’、アップグレード、ビデオオンデマンドなど）のブロードキャストをエンドユーザまたは配信者へ提供するという衛星サービスの役割；
【０１２４】
前に詳細に説明したように、この解決手段は、セルタワー（たとえばタワーサイト５０）への直接的な配信により達成される。コンテンツは、ａ）コンテンツが無線基地局（セルタワーサイト）のキャッシング機能に格納されている場合はユニキャスト／マルチキャスト、ｂ）マルチキャスト／ブロードキャスト、のいずれかによりモバイル加入者デバイスへ提供される。これにより、ユニキャストのバックホールを介して無線アクセスネットワークインフラストラクチャのあらゆるエンドポイントへ同じコンテンツを配信するコア機能が不要になる。
【０１２５】
衛星配信の利点は、データまたはコンテンツを１つの位置から多くの位置へ同時に配信することにある。言い換えると、マルチキャストは、同じコンテンツの複数の位置への効率的な配信においてユニキャストより優れている。これは、また、高負荷のデータまたはコンテンツをネットワークバックボーンから排除し、末端位置へ直接的に配信するための効率的な方法を意味する。
【０１２６】
高スループットを使用して、スポットビームオーバーレイは、ポリシ、制限または流行に基づいて特定のコンテンツを特定の位置に配信するための従来の衛星およびワイドビームと連携して使用されてもよい。
【０１２７】
線形または非線形の両方の配信を排除し、より効率的な衛星メカニズムによって配信されることにより、ネットワークバックボーンに利点がある。さらに、キャッシング機能への非線形コンテンツのマルチキャスト配信は、地域化、スループット特性、および伝送経路の受信側における計算機能を可能にするネットワークを使用して、効率などの利点を提供する。
【０１２８】
キャッシング機能はモバイルネットワークタワーに配置できるが、これらの配置に限られない。キャッシュは、ビジネス上の決定、経済および技術の進歩に基づいてどこにでもホストされることができる。たとえば、ストレージは、衛星ダウンリンクサイト、プライベートエンタープライズネットワーククラウドにおける計算リソース、飛行機、クルーズ船、自治体のＷｉＦｉホットスポット、デジタル映画館、または消費者のコンテンツ用のプライベートデジタルロッカーをホストするデータセンタにおいてホストされることができる。
【０１２９】
所定のルール、ポリシおよび制限を使用し、衛星の受信またはダウンリンクの側においてインテリジェントコンピューティング機能を使用し、ネットワークのバックボーンからの配信を排除するマルチキャスト配信メカニズムの効率は、主な利点である。
【０１３０】
この方法は、広いエリアにおける衛星ブロードキャスト通信の固有の強みと、４Ｇ、ＬＴＥ  Ａｄｖａｎｃｅｄ、５Ｇのモバイルネットワークおよびその後の世代のモバイル加入者による大容量のデータストリームの増大した消費と、を利用する（したがって、区別された配信セッションを使用するカバレッジエリアにより同じコンテンツを加入者ユニットのそれぞれへユニキャストする代わりに専用のセッションチャネルにおいてコンテンツをブロードキャストするｅＭＢＭＳの革新）。
【０１３１】
この解決手段は、競争が激しい環境において、差別化されたバックホールの方法として衛星配信を強化し、モバイルネットワークオペレータを証明された輻輳リスクから解放し、加入者に提供されるサービス（たとえば高品質なライブスポーとイベントの観戦）の体験および価値を高める。
【０１３２】
最終的に、消費者市場は、個人の“スケジューラ”として個々のデバイスを使う方向に向かっており、選択されたコンテンツが、後で見るためにパーソナルクラウドに格納される。ソリューション開発プロセスの一環として、衛星配信、モバイルネットワークおよび認証されたデバイス（またはパーソナルクラウド）の統合が考慮されるべきである。モバイルデバイスまたはタブレットのためのＴｉＶｏやストレージがパーソナルクラウドにあるときのように、認証されたストリームは、仮想デジタルロッカーにおいて保管されることを要する可能性がある。
【０１３３】
非限定的な実施の形態として上述した発明の少なくとも特定の原理は、ハードウェア、ファームウェア、ソフトウェアまたはこれらの任意の組み合わせとして実現されてもよい。さらに、ソフトウェアは、好ましくは、デジタル回路、アナログ回路、磁気回路またはこれらの組み合わせの形態とすることができる、プログラムストレージユニット、非一過性のユーザマシン可読媒体または非一過性のマシン可読ストレージ媒体において具体的に実現されるアプリケーションプログラムとして実現されてもよい。このアプリケーションプログラムは、任意の適切なアーキテクチャを含むマシンにアップロードされて実行されてもよい。好ましくは、このマシンは、１以上の特定のプロセッシングユニット（“ＣＰＵ”）、メモリおよび入出力インタフェースなどのハードウェアを有するユーザマシンプラットフォームにおいて実現される。このユーザマシンプラットフォームは、また、オペレーティングシステムおよびマイクロ命令コードを含んでもよい。ここで説明された様々な処理および機能は、そのようなユーザマシンまたはプロセッサが明示的に示されているか否かに関わらず、ＣＰＵにより実行される、マイクロ命令コードの一部、アプリケーションプログラムの一部、またはこれらの任意の組み合わせとすることができる。加えて、追加的なデータストレージや印刷ユニットなどの様々な他の周辺ユニットがユーザマシンプラットフォームに接続されてもよい。
【０１３４】
本発明は、例示的な実施の形態を参照して具体的に示され説明されたが、請求項によって定義される本発明の精神および範囲から逸脱することなく、形態および詳細の様々な変化が可能であることは、当業者によって理解される。
【符号の説明】
【０１３５】
１，１０  起点サーバ
２  プロセッシングユニット
３，１５  ブロードキャスタ
４−１，４−２，４０  ＭＭＥ（ＭＭＥコア）
５，５０，５０’  タワーサイト（サイト）
６〜６ｎ，６０〜６０ｎ  デバイス（モバイルデバイス）
２０  集約サイト（テレポート）
３０  衛星
２５−１，２５−１’，３５  ビーム
２５−２  リンク
３５−１  ワイドビーム
３５−２  スポットビーム
４０’  プライベートクラウド
４５  パブリッククラウド
５０−１  衛星アンテナ
５０−２  ＶＳＡＴターミナル
５０−３  ＩＲＤ
５０−４  キャッシュ
５０−５  モデム
７０，７０’  認証データ（データ）
８０〜８０ｎ  ホームデバイス（ホーム）
【図１】
2017518660.tif 000003
【図２】
2017518660.tif 000004
【図３】
2017518660.tif 000005
【図４】
2017518660.tif 000006
【図５】
2017518660.tif 000007
【図６】
2017518660.tif 000008
【手続補正書】
【提出日】平成28年1月29日(2016.1.29)
【手続補正１】
【補正対象書類名】特許請求の範囲
【補正対象項目名】全文
【補正方法】変更
【補正の内容】
【特許請求の範囲】
【請求項１】
衛星を介してコンテンツサーバからモバイルオペレータネットワークの１以上の末端位置へコンテンツを配信する配信方法であって、
前記衛星の衛星帯域幅を使用して、前記モバイルオペレータネットワークの前記１以上の末端位置へコンテンツを送信し、
前記コンテンツが送信される、前記モバイルオペレータネットワークの前記１以上の末端位置は、１以上の無線アクセスネットワークノードを含む、
ことを特徴とする配信方法。
【請求項２】
さらに、従来の衛星または高スループットの衛星と、前記１以上の末端位置の場所に基づいて、ワイドビームおよびスポットビームと、の組み合わせを使用して前記コンテンツを前記１以上の末端位置へ送信することを特徴とする請求項１に記載の配信方法。
【請求項３】
さらに、前記コンテンツに関する配信ルールを受信し、
前記コンテンツの送信は、受信された前記配信ルールに基づく、前記１以上の末端位置への前記コンテンツの送信を含む、
ことを特徴とする請求項２に記載の配信方法。
【請求項４】
前記１以上の末端位置は、前記モバイルオペレータネットワークから認証データを受信することを特徴とする請求項２に記載の配信方法。
【請求項５】
前記１以上の末端位置は、前記認証データに基づいて１以上のデバイスへ前記コンテンツを配信することを特徴とする請求項４に記載の配信方法。
【請求項６】
前記コンテンツは前記１以上の末端位置にキャッシュされることを特徴とする請求項１に記載の配信方法。
【請求項７】
衛星を介してコンテンツサーバからモバイルオペレータネットワークの１以上の末端位置へコンテンツを配信する配信装置であって、
１以上のプロセッサと、
前記１以上のプロセッサにより実行されると、前記衛星の衛星帯域幅を使用して、前記モバイルオペレータネットワークの前記１以上の末端位置へコンテンツを送信する処理を前記１以上のプロセッサに実行させる実行可能命令を格納するメモリと、
を備え、
前記コンテンツが送信される、前記モバイルオペレータネットワークの前記１以上の末端位置は、１以上の無線アクセスネットワークノードを含む、
ことを特徴とする配信装置。
【請求項８】
前記メモリは、さらに、前記１以上のプロセッサにより実行されると、前記無線アクセスネットワークノードの場所に基づいて、ワイドビームおよびスポットビームの組み合わせを使用して前記コンテンツを前記１以上の末端位置へ送信する処理を前記１以上のプロセッサに実行させる実行可能命令を格納することを特徴とする請求項７に記載の配信装置。
【請求項９】
前記メモリは、さらに、前記１以上のプロセッサにより実行されると、前記コンテンツに関する配信ルールを受信する処理を前記１以上のプロセッサに実行させる実行可能命令を格納し、
前記コンテンツの送信は、受信された前記配信ルールに基づく、前記１以上の末端位置への前記コンテンツの送信を含む、
ことを特徴とする請求項８に記載の配信装置。
【請求項１０】
前記１以上の末端位置は、前記モバイルオペレータネットワークから認証データを受信することを特徴とする請求項８に記載の配信装置。
【請求項１１】
前記１以上の末端位置は、前記認証データに基づいて１以上のデバイスへコンテンツを配信することを特徴とする請求項１０に記載の配信装置。
【請求項１２】
前記コンテンツは前記１以上の末端位置にキャッシュされることを特徴とする請求項７に記載の配信装置。
【請求項１３】
さらに、前記１以上の末端位置において、前記コンテンツを、少なくとも１のデバイスに対応する少なくとも１つのフォーマットとなるように、処理、トランスコードおよびリパッケージすることを特徴とする請求項２に記載の配信方法。
【請求項１４】
さらに、広告または他のコンテンツを挿入することを特徴とする請求項２に記載の配信方法。
【請求項１５】
さらに、
ｅＭＢＭＳ（ｅｎｈａｎｃｅｄ  Ｍｕｌｔｉｍｅｄｉａ  Ｂｒｏａｄｃａｓｔ  Ｍｕｌｔｉｃａｓｔ  Ｓｅｒｖｉｃｅｓ）が利用されているかどうかを判定し、
ｅＭＢＭＳが利用されているか否かの前記判定に応じて、ユニキャストストリームのみの変換と提供、マルチキャストストリームのみの変換と提供、または前記マルチキャストストリームおよび前記ユニキャストストリームの両方の変換と提供の間で選択する、
ことを特徴とする請求項２に記載の配信方法。
【請求項１６】
前記メモリは、さらに、前記１以上のプロセッサにより実行されると、前記１以上の末端位置において、前記コンテンツを、少なくとも１のデバイスに対応する少なくとも１つのフォーマットとなるように、処理、トランスコードおよびリパッケージする処理を前記１以上のプロセッサに実行させる実行可能命令を格納することを特徴とする請求項８に記載の配信装置。
【請求項１７】
前記メモリは、さらに、前記１以上のプロセッサにより実行されると、広告または他のコンテンツを挿入する処理を前記１以上のプロセッサに実行させる実行可能命令を格納することを特徴とする請求項８に記載の配信装置。
【請求項１８】
前記メモリは、さらに、前記１以上のプロセッサにより実行されると、
ｅＭＢＭＳ（ｅｎｈａｎｃｅｄ  Ｍｕｌｔｉｍｅｄｉａ  Ｂｒｏａｄｃａｓｔ  Ｍｕｌｔｉｃａｓｔ  Ｓｅｒｖｉｃｅｓ）が利用されているかどうかを判定し、
ｅＭＢＭＳが利用されているか否かの前記判定に応じて、ユニキャストストリームのみの変換と提供、マルチキャストストリームのみの変換と提供、または前記マルチキャストストリームおよび前記ユニキャストストリームの両方の変換と提供の間で選択する、
処理を前記１以上のプロセッサに実行させる実行可能命令を格納することを特徴とする請求項８に記載の配信装置。
【国際調査報告】
2017518660.tif 000009